(57)【要約】【課題】操作性を損なうことなく、誤操作を防止する機構をスイッチ本体に構成したスクリュースイッチを提供することを目的とする。【解決手段】下面に作動棒２ｂを設けた回転操作可能なツマミ２と、スイッチ機構を内設するハウジング３と、カバー１からなり、ツマミ２とハウジング３に設けたネジ機構によりツマミ２を回転操作することでツマミ２に設けた作動棒２ｂを上下動させてスイッチ機構を動作させることで電路の開閉を行う構造としたことにより、不用意に触れた場合には動作しない回転操作によって誤操作を防止する。【選択図】図１
2009048809.tif 000002
【特許請求の範囲】
【請求項１】
下面に作動棒を設けた回転操作可能なツマミと、スイッチ機構を内設するハウジングと、カバーからなり、前記ツマミと前記ハウジングに設けたネジ機構により前記ツマミを回転操作することで該ツマミに設けた作動棒を上下動させてスイッチ機構を動作させることにより電路の開閉を行うことを特徴とするスクリュースイッチ。
【請求項２】
下面に作動棒を設けた回転操作可能なツマミと、該ツマミに遊嵌されるキャップと、スイッチ機構を内設するハウジングと、カバーからなり、前記キャップと前記ハウジングに設けたネジ機構による前記キャップの回転操作により上下動することで前記ツマミが連動し、該ツマミに設けた作動棒を上下動させてスイッチ機構を動作させることにより電路の開閉を行うことを特徴とするスクリュースイッチ。
【請求項３】
下面に作動棒を設けた回転操作可能なツマミと、スイッチ機構を内設するハウジングと、カバーと、該カバーに遊嵌されるキャップからなり、該キャップと前記ツマミに設けたネジ機構により前記キャップを回転操作することで前記ツマミのみが上下動し、該ツマミに設けた作動棒を連動させてスイッチ機構を動作させることにより電路の開閉を行うことを特徴とするスクリュースイッチ。
【請求項４】
前記スイッチ機構をフォトインタラプタで構成し、ツマミに設けた作動棒を上下動させてフォトインタラプタの発光素子と受光素子の間の光を遮光または投受光させることにより電路の開閉を行うことを特徴とする請求項１、請求項２及び請求項３に記載のスクリュースイッチ。
【請求項５】
前記ツマミの前記カバー及び前記ハウジングとの接触面に円状の突起部を設けたことを特徴とする請求項１、請求項２及び請求項３に記載のスクリュースイッチ。
【請求項６】
前記ハウジング内部に円筒状の壁を設けるとともに、前記ツマミに円筒状の溝を設けたことを特徴とする請求項１、請求項２及び請求項３に記載のスクリュースイッチ。
【発明の詳細な説明】
【技術分野】
【０００１】
本発明は、ツマミを回転操作して、ハウジング内に配備したスイッチ機構を動作させて電路の開閉を行うスイッチに関する。
【背景技術】
【０００２】
従来の押しボタンスイッチは誤操作を防止するために、蓋付のカバーのような付属品を使用することが一般的であった。
【特許文献１】なし
【発明の開示】
【発明が解決しようとする課題】
【０００３】
しかしながら、従来の誤操作防止用の付属品はスイッチ本体とは別部品であるために、取付けに伴う工程が増え、さらに、取付けスペースを確保する必要があった。
【０００４】
そこで本発明のスクリュースイッチは上記の問題を解決可能なスクリュースイッチを提供することを目的とする。
【課題を解決するための手段】
【０００５】
本発明は上記目的を達成するため、ネジ機構によりツマミを回転操作することで電路の開閉を行うスイッチとしたものである。
【発明の効果】
【０００６】
本発明によれば、次のような効果を奏することができる。
（１）ネジ機構によりツマミを回転操作としたため、誤って触れても電路が開閉することがなく、誤操作を防止することができる。
（２）ネジ機構によるツマミの回転操作としているため誤操作が防止できるので、付属品が不要となり、取付工程の簡素化及び省スペース化が実現できる。。
（３）ツマミのカバー及びハウジングとの接触面に円状の突起部を設けたことにより、平面で接するよりも接触面積を減らすことにより接触抵抗を軽減することができ、回転始動時に必要な力を軽減できるためスムーズな操作を実現できる。
（４）ハウジング内部に円筒状の壁を設けるとともに、ツマミに円筒状の溝を設けたことによりスイッチ機構部に埃が侵入しにくい簡易防塵が実現できる。
（５）キャップを設けることにより、操作性を向上させるとともに防塵性の向上が実現できる。
（６）透明ゴムカバーを設けることにより、防水性が向上できるので浸水した場合にも電路の開閉を行うことができる。
（７）ネジのピッチを変更することでツマミの回転数または回転角度を可変することができるため、操作量を自由に設定することができる。
【発明を実施するための最良の形態】
【０００７】
本発明は、下面に作動棒を設けた回転操作可能なツマミと、スイッチ機構を内設するハウジングと、カバーからなり、前記ツマミと前記ハウジングに設けたネジ機構により前記ツマミを回転操作することで該ツマミに設けた作動棒を上下動させてスイッチ機構を動作させることにより電路の開閉を行う構成とする。よって、誤ってツマミに触れた場合には動作せず、ツマミを回転操作することにより電路の開閉が可能となり、誤操作が防止できる。
【実施例】
【０００８】
以下、本発明の実施例について、図面を参照しながら詳細に説明する。
【０００９】
図１は本発明の第一実施例を表すスクリュースイッチの分解斜視図、図２は本発明の第一実施例を表すスクリュースイッチの断面図、図３は本発明の第二実施例を表すスクリュースイッチの断面図、図４は本発明の第三実施例を表すスクリュースイッチの断面図、図５は本発明の第四実施例を表すスクリュースイッチの断面図を示している。図２から図５において（ａ）は操作前の状態を、（ｂ）は操作後の状態を示している。図６は本発明の第五実施例を表すスクリュースイッチであり、（ａ）は断面図を、（ｂ）は要部の斜視図を、（ｃ）はＡ−Ａ’断面図を示している。
【００１０】
図１及び図２において、カバー１には上面中央部にツマミ２が貫通する貫通孔１ａと、ハウジング３の係合爪３ｃと係合される係合孔１ｂが形成されており、ツマミ２を回転操作により上昇させた際のツマミ２の抜けを防止する。
【００１１】
ツマミ２には上面中央部にカバー１の貫通孔１ａから上方へ突出する円柱部２ａと、下面中央部にフォトインタラプタ４を動作させるための作動棒２ｂと、上面及び下面に回転操作をスムーズにするための円状突起部２ｄと、下面に簡易防塵のための円筒溝２ｅが形成されている。ツマミ２の外側面にはネジ山２ｃが形成されており、ハウジング３のネジ山３ａと係合することによりネジ機構を構成する。
【００１２】
ハウジング３には上部にカバー１の係合孔１ｂと係合する係合爪３ｃと、内部に簡易防塵のための円筒壁３ｂが形成されている。ハウジング３の内側面にはネジ山３ａが形成されており、ツマミ２のネジ山２ｃと係合することによりネジ機構を構成する。下部には下方からフォトインタラプタ４が実装されたプリント基板５がネジ６により固着される。
【００１３】
以上のことから、カバー１の貫通孔１ａからツマミ２の円柱部２ａを突出させるとともに、ツマミ２をネジ機構によりハウジング３にねじ込むように配設し、カバー１の係合孔１ｂとハウジング３の係合爪３ｃが係合される。そして、フォトインタラプタ４を実装したプリント基板５がネジ６により固着され、本発明のスクリュースイッチが完成する。
【００１４】
本実施例では、プリント基板５をネジ６により固着する構成としているがハウジング３と嵌合する構成としてもよく、また、フォトインタラプタ４はプリント基板５に実装する構成としているがプリント基板５を樹脂板とし接着剤等により固着してもよく、また、スイッチ機構をフォトインタラプタ４としているがその他の無接点及び有接点により電路の開閉を行うスイッチ機構としてもよく、種々の方法が考えられる。
【００１５】
以上のように構成された、本発明のスクリュースイッチは、図２（ａ）に示す操作前の状態から、ツマミ２を回転するとネジ機構に従って回転しながら下降し連動して作動棒２ｂも下降し、図２（ｂ）に示すようにツマミ２の下面に設けた円状突起部２ｄがハウジング３に当接する。このとき作動棒２ｂがフォトインタラプタ４の発光素子と受光素子の間の光を遮光することにより電路が切換わる。そして、ツマミ２を逆回転するとネジ機構に従って回転しながら上昇し連動して作動棒２ｂも上昇し、操作前の状態に復帰する。このとき作動棒２ｂにより遮光されていたフォトインタラプタ４の発光素子と受光素子の間の光が投受光されることにより電路が切換わる。
【００１６】
このように、本実施例に示すスクリュースイッチは、回転操作により電路の切換えを行なうので誤操作を防止できるという特徴を有している。
【００１７】
さらに、本実施例に示すスクリュースイッチは、ネジのピッチを変更することでツマミ２の回転数または回転角度を可変することができるため、操作量を自由に設定することができるという特徴を有している。
【００１８】
さらに、本実施例に示す円筒溝２ｅと円筒壁３ｂの構成により、簡易防塵機能を有することができる。
【００１９】
図３は本発明の第二実施例を示すツマミ２０に遊嵌されるキャップ７を設けたスクリュースイッチの断面図である。カバー１０からツマミ２０の円柱部２０ａを突出させるようにカバー１０とハウジング３０を係合させ、キャップ７を回転しながらハウジング３０に係合するとともに円柱部２０ａの先端に設けた爪部２０ｆに回転自在に遊嵌する。
【００２０】
以上のように構成された、本発明のスクリュースイッチは、図３（ａ）に示す操作前の状態から、キャップ７を回転するとネジ機構に従って回転しながら下降し連動してツマミ２０も下降し、図３（ｂ）に示すようにツマミ２０の下面に設けた円状突起部２０ｄがハウジング３０に当接する。このとき作動棒２０ｂがフォトインタラプタ４０の発光素子と受光素子の間の光を遮光することにより電路が切換わる。そして、キャップ７を逆回転するとネジ機構に従って回転しながら上昇し連動してツマミ２０も上昇し、操作前の状態に復帰する。このとき作動棒２０ｂにより遮光されていたフォトインタラプタ４０の発光素子と受光素子の間の光が投受光されることにより電路が切換わる。
【００２１】
このように、本実施例に示すスクリュースイッチは、キャップ７を回転させることで操作する構成としたため、操作性を向上することができる。
【００２２】
さらに、本実施例に示すスクリュースイッチは、ネジのピッチを変更することでキャップ７の回転数または回転角度を可変することができるため、操作量を自由に設定することができるという特徴を有している。
【００２３】
さらに、ハウジング３０を覆うようにキャップ７を被せることで埃が侵入しにくい構造としているため、防塵性を高めることができる。
【００２４】
本実施例では、円筒溝２０ｅと円筒壁３０ｂを設け二重の防塵構造としているが、キャップ７とハウジング３０による防塵構造のみで構成し、円筒溝２０ｅ及び円筒壁３０ｂを排除し構造を簡素化してもよく、また、スイッチ機構をフォトインタラプタ４０としているがその他の無接点及び有接点により電路の開閉を行うスイッチ機構としてもよく、種々の方法が考えられる。
【００２５】
図４は本発明の第三実施例を示すカバー１００に遊嵌されるキャップ７０を設けたスクリュースイッチの断面図である。ツマミ２００の外側面及びハウジング３００の内側面に凹部及び凸部を設け摺動自在に係合することによりツマミ２００が回転しない構造とし、カバー１００からツマミ２００の円柱部２００ａを突出させるようにカバー１００とハウジング３００を係合させ、キャップ７０を回転しながらカバー１００に設けた爪部１００ｃに回転自在に遊嵌する。
【００２６】
以上のように構成された、本発明のスクリュースイッチは、図４（ａ）に示す操作前の状態から、キャップ７０を回転するとツマミ２００のみがネジ機構に従って下降し、図４（ｂ）に示すようにツマミ２００の下面に設けた円状突起部２００ｄがハウジング３００に当接する。このとき作動棒２００ｂがフォトインタラプタ４００の発光素子と受光素子の間の光を遮光することにより電路が切換わる。そして、キャップ７０を逆回転するとツマミ２００のみがネジ機構に従って上昇し、操作前の状態に復帰する。このとき作動棒２００ｂにより遮光されていたフォトインタラプタ４００の発光素子と受光素子の間の光が投受光されることにより電路が切換わる。
【００２７】
このように、本実施例に示すスクリュースイッチは、キャップ７０を回転させることで操作する構成としたため、操作性を向上することができる。
【００２８】
さらに、本実施例に示すスクリュースイッチは、ネジのピッチを変更することでツマミ２００の回転数または回転角度を可変することができるため、キャップ７０の操作量を自由に設定することができるという特徴を有している。
【００２９】
さらに、キャップ７０とカバー１００により埃が侵入しにくい構造としているため、防塵性を高めることができる。
【００３０】
本実施例では、円筒溝２００ｅと円筒壁３００ｂを設け二重の防塵構造としているが、キャップ７０とカバー１００による防塵構造のみで構成し、円筒溝２００ｅ及び円筒壁３００ｂを排除し構造を簡素化してもよく、また、スイッチ機構をフォトインタラプタ４００としているがその他の無接点及び有接点により電路の開閉を行うスイッチ機構としてもよく、種々の方法が考えられる。
【００３１】
図５は本発明の第四実施例を示すパネル取付け用に樹脂バネ８を設けるとともに端子をコネクタ９としたスクリュースイッチの断面図である。
【００３２】
本実施例では、第一実施例に適用しているがその他の実施例にも適用可能であり、取付方法を樹脂バネ８を設けた構成としているがネジ取付としてもよく、種々の方法が考えられる。
【００３３】
図６は本発明の第五実施例を示す防水対策として透明ゴムカバー１１を設けたスクリュースイッチの断面図と透明ゴムカバー１１の斜視図及び断面図である。透明ゴムカバー１１はプリント基板５に実装されたフォトインタラプタ４を覆うように配設し、ハウジング３とプリント基板５の間に挟み、ネジ６により基板５とともにハウジング３に固着される。
【００３４】
本実施例では、第一実施例に適用しているがその他の実施例にも適用可能であり、種々の方法が考えられる。
【００３５】
なお、本発明は上記の実施例に限定されるものではなく、本発明の趣旨に基づき種々の変形が可能であり、これらを本発明の範囲から排除するものではない。
【産業上の利用可能性】
【００３６】
本発明のスクリュースイッチは、回転操作による誤操作防止機能を有するスクリュースイッチとして利用可能である。
【図面の簡単な説明】
【００３７】
【図１】本発明の第一実施例を表すスクリュースイッチの分解斜視図である。
【図２】本発明の第一実施例を表すスクリュースイッチの断面図である。
【図３】本発明の第二実施例を表すスクリュースイッチの断面図である。
【図４】本発明の第三実施例を表すスクリュースイッチの断面図である。
【図５】本発明の第四実施例を表すスクリュースイッチの断面図である。
【図６】本発明の第五実施例を表すスクリュースイッチの断面図及び要部斜視図である。
【符号の説明】
【００３８】
１  １０  １００        カバー
１ａ                    貫通孔
１ｂ                    係合孔
１００ｃ                爪部
２  ２０  ２００        ツマミ
２ａ  ２０ａ  ２００ａ  円柱部
２ｂ  ２０ｂ  ２００ｂ  作動棒
２ｃ                    ネジ山
２ｄ  ２０ｄ  ２００ｄ  円状突起部
２ｅ  ２０ｅ  ２００ｅ  円筒溝
２０ｆ                  爪部
３  ３０  ３００        ハウジング
３ａ                    ネジ山
３ｂ  ３０ｂ  ３００ｂ  円筒壁
３ｃ                    係合爪
４  ４０  ４００        フォトインタラプタ
５                      プリント基板
６                      ネジ
７  ７０                キャップ
８                      樹脂バネ
９                      コネクタ
１１                    透明ゴムカバー
【図１】
2009048809.tif 000003
【図２】
2009048809.tif 000004
【図３】
2009048809.tif 000005
【図４】
2009048809.tif 000006
【図５】
2009048809.tif 000007
【図６】
2009048809.tif 000008